(57)【特許請求の範囲】
【請求項１】
車両用窓ガラスを昇降機構と連結させるための車両用窓ガラスホルダーであって、
昇降機構に連結される脚部と、
この脚部から末広がり状に伸びる対向面部および底面部により窓ガラス挿入溝を形成するガラス保持部と、
上記末広がり状に伸びる対向面部の両側端部に、上記窓ガラス挿入溝の端部を閉じるように形成され、かつ窓ガラスの挿入により外側に倒れて切除されるせき部と
を有することを特徴とする車両用窓ガラスホルダー。
【請求項２】
せき部と底面部との接続部に、薄肉部が形成されている請求項1記載の車両用窓ガラスホルダー。
【請求項３】
対向面部の外表面に、厚肉部が形成されている請求項1または２記載の車両用窓ガラスホルダー。
【請求項４】
対向面部の窓ガラス挿入溝側に接着剤保持部が形成されている請求項1ないし３のいずれかに記載の車両用窓ガラスホルダー。
【請求項５】
請求項1ないし４のいずれかに記載の車両用窓ガラスホルダーの窓ガラス挿入溝に接着剤を注入し、窓ガラス挿入溝の開口部側から窓ガラスを挿入して、せき部を外側に倒しながら切除し、接着剤により、車両用窓ガラスホルダーと窓ガラスとを固着させることを特徴とする車両用窓組立体の製造方法。
【発明の詳細な説明】
【技術分野】
【０００１】
本発明は、車両の昇降窓として用いられる車両用窓組立体の製造方法、およびそれに用いられる車両用窓ガラスホルダーに関するものである。
【背景技術】
【０００２】
車両の昇降窓では、窓ガラスを上下に移動させるために、窓ガラスをガラスホルダーで保持して昇降機構と連結し、昇降機構により窓ガラスを昇降させている。ガラスホルダーとしては、古くは金属製のものが用いられていたが、これに替わり硬質合成樹脂の成形品が用いられるようになった。このような硬質合成樹脂製のガラスホルダーは、窓ガラスの周辺部を挿入して保持する保持溝を形成しており、保持溝に接着剤を注入して窓ガラスの周辺部を挿入し、接着剤により、車両用窓ガラスホルダーと窓ガラスとを固着させて取付け、車両用窓組立体を製造している。
【０００３】
図５は特許文献１に記載された従来の車両用窓ガラスホルダーの斜視図である。図５において、車両用窓ガラスホルダー１は、昇降機構に連結される脚部２と、この脚部２から平行に、かつ長方形状に伸びる対向面部３、４および底面部５により窓ガラス挿入溝６が形成されるガラス保持部７とを有している。そして対向面部３、４の両側端部３ａ、３ｂ、４ａ、４ｂはそれぞれ内側に突出し、対向面部３、４の中間部においても内側にリブ８が伸び、接着剤保持部９を形成している。対向面部３、４の両側端部３ａ、３ｂ、４ａ、４ｂから、さらに内向きに薄膜部１１が伸び、窓ガラス挿入溝６の端部を部分的に覆うように形成されている。脚部２には連結孔１２が設けられ、連結具１３としてナットが取り付けられている。
【０００４】
上記の車両用窓ガラスホルダー１は、冶具に保持させて、窓ガラス挿入溝６に接着剤を注入し、窓ガラス挿入溝６の開口部６ａ側から窓ガラス１４を挿入して、接着剤を接着剤保持部９に行き渡らせ、接着剤により、車両用窓ガラスホルダー１を窓ガラス１４に固着させ組付け、車両用窓組立体１５を製造する。こうして製造される車両用窓組立体１５は、連結具１３を利用して車両用窓ガラスホルダー１の脚部２を車両のドアパネル内の昇降機構（図示せず）に連結して組付け、窓ガラス１４の昇降を行う。
【０００５】
上記の車両用窓ガラスホルダー１において、対向面部３、４の両側端部３ａ、３ｂ、４ａ、４ｂから内向きに伸びる薄膜部１１が設けられているのは、異なる厚みの窓ガラス１４を組付けるためである。このため異なる厚みの窓ガラス１４を組付ける場合、対向面部３、４の両側端部３ａ、３ｂ、４ａ、４ｂと窓ガラス１４間の隙間が異なるために薄膜部１１で間隔を調整する構成となっている。すなわち厚い窓ガラス１４を組付ける場合、薄膜部１１の先端部が窓ガラス１４により変形し、あるいは削り取られることにより、間隔が調整される。
また薄い窓ガラス１４を組付ける場合は、対抗する薄膜部１１の間隔と窓ガラスの厚みがほぼ同一となるために薄膜部１１は、変形あるいは削り取られることなく、間隔が調整される。しかし、薄い窓ガラス１４を組付ける場合、両側端部３ａ、３ｂ、４ａ、４ｂと窓ガラス１４間の隙間が広くなるため、接着剤を多く注入しないと車両用窓ガラスホルダー１と窓ガラスとの接着力が低下するため、接着剤の量の管理が必要となる。
【０００６】
上記のような従来の車両用窓ガラスホルダー１では、対向面部３、４の両側端部３ａ、３ｂ、４ａ、４ｂにおける窓ガラス挿入溝６の両端部は、薄膜部１１で部分的に覆われているが、それでも最小の厚みの窓ガラス１４の厚みに相当する開口部が存在するため、窓ガラス挿入溝６に接着剤を注入して窓ガラス１４を挿入すると、窓ガラス挿入溝６の両端部の開口部から接着剤が流出、はみ出し、付近を汚染するとともに、接着強度が低下する。特許文献１では、薄膜部１１を底面部５から上方向に伸びるように形成することにより、組付け時における接着剤の流出、はみ出しを防止することも示されている。
【０００７】
しかし上記のような従来の車両用窓ガラスホルダー１においては、ガラス保持部７の対向面部３、４は脚部２から長方形状に伸びているため、対向面部３、４の両側端部３ａ、３ｂ、４ａ、４ｂは、それぞれ底面部５に垂直な方向に平行に形成されている。窓ガラス１４の挿入は、底面部５に対して垂直な方向に窓ガラス１４を移動させて行われるため、窓ガラス１４の挿入方向は両側端部３ａ、３ｂ、４ａ、４ｂと平行になる。このため窓ガラス１４の挿入に伴って、薄膜部１１の先端部は窓ガラス１４により押しつぶされるように削り取られ、あるいは小片ないし粉状の削りかすとなって底面部５に落下し、削れかすにより窓ガラス１４の挿入位置がずれたり、除去されずに残った薄膜部１１や底面部５上に落下した削れかすが接着剤に付着することにより接着力が低下する可能性があった。また車両に組付けた後に、ドアパネル内に削れかすが落下し、異音を発生する可能性があった。
【特許文献１】特開平８−１７７３０７号
【発明の開示】
【発明が解決しようとする課題】
【０００８】
本発明の課題は、窓ガラスの組付けが容易で、組付けに際して接着剤の流出、はみ出しを阻止できるとともに、流出阻止部材を容易に除去でき、これにより接着力不足を防止できるとともに、流出阻止部材や、その削れかすによるドアパネル内での異音の発生を防止できる車両用窓ガラスホルダーを提供することである。
本発明の他の課題は、上記の車両用窓ガラスホルダーにより、窓ガラスの組付けが容易で、組付けに際して接着剤の流出、はみ出しを阻止できるとともに、流出阻止部材を容易に除去でき、これにより接着力不足を防止できるとともに、流出阻止部材や、その削れかすによるドアパネル内での異音の発生を防止できる車両用窓組立体の製造方法を提案することである。
【課題を解決するための手段】
【０００９】
本発明は次の車両用窓ガラスホルダー、ならびにこれを用いる車両用窓組立体の製造方法である。
（１）  車両用窓ガラスを昇降機構と連結させるための車両用窓ガラスホルダーであって、
昇降機構に連結される脚部と、
この脚部から末広がり状に伸びる対向面部および底面部により窓ガラス挿入溝を形成するガラス保持部と、
上記末広がり状に伸びる対向面部の両側端部に、上記窓ガラス挿入溝の端部を閉じるように形成され、かつ窓ガラスの挿入により外側に倒れて切除されるせき部と
を有することを特徴とする車両用窓ガラスホルダー。
（２）  せき部と底面部との接続部に、薄肉部が形成されている上記（１）記載の車両用窓ガラスホルダー。
（３）  対向面部の外表面に、厚肉部が形成されている上記（１）または（２）記載の車両用窓ガラスホルダー。
（４）  対向面部の窓ガラス挿入溝側に接着剤保持部が形成されている上記（１）ないし（３）のいずれかに記載の車両用窓ガラスホルダー。
（５）  上記（１）ないし（４）のいずれかに記載の車両用窓ガラスホルダーの窓ガラス挿入溝に接着剤を注入し、窓ガラス挿入溝の開口部側から窓ガラスを挿入して、せき部を外側に倒しながら切除し、接着剤により、車両用窓ガラスホルダーと窓ガラスとを固着させることを特徴とする車両用窓組立体の製造方法。
【００１０】
註：段落番号は出願時自動的に変更されます。
本発明で製造する車両用窓組立体は車両、特に自動車において、窓ガラスを上下に移動させる昇降窓として用いられる車両用窓組立体である。本発明の車両用窓ガラスホルダーは、このような車両用窓組立体に用いられる車両用窓ガラスホルダーであり、窓ガラスを保持して昇降機構と連結し、昇降機構により窓ガラスを昇降できるように構成される。
【００１１】
本発明の車両用窓ガラスホルダーは、車両用窓ガラスを昇降機構と連結させるための車両用窓ガラスホルダーであって、昇降機構に連結される脚部からガラス保持部が窓ガラスを保持するように伸びている。ガラス保持部は、末広がり状に伸びる対向面部および底面部を有し、これらにより窓ガラス挿入溝が形成されている。ガラス保持部の末広がり状に伸びる対向面部の両側端部には、窓ガラス挿入溝の端部を閉じるせき部が、窓ガラスの挿入により外側に倒れて切除されるように形成されている。本発明の自動車用窓ガラスホルダーは、ポリアセタール、ポリブチレンテレフタレート等の硬質合成樹脂や、これらにガラス繊維等の強化材を配合した樹脂材料から、射出成形等により一体成形することができる。
【００１２】
ガラス保持部の対向面部は脚部から末広がり状に伸びているため、対向面部の両側端部はそれぞれ底面部に垂直な線、すなわち窓ガラスの挿入方向に対して傾斜する方向に形成されている。この場合、窓ガラスの挿入は、底面部に対して垂直な方向に窓ガラスを移動させて行われるため、対向面部の両側端部に形成されるせき部は、窓ガラスの挿入方向に対して傾斜する方向に形成されており、窓ガラスの挿入時の分力により外側に倒れて切除されるように、薄膜状に形成されているのが好ましい。
【００１３】
せき部は、窓ガラスの挿入により外側に倒れて切除されるように、対向面部の両側端部を架橋する薄膜状に形成することができるが、せき部と底面部との接続部に、薄肉部が形成されているのが好ましい。また対向面部の両側端部とせき部との接続部にも、薄肉部が形成されていてもよい。このように薄肉部が形成されていると、窓ガラスの挿入によりせき部が切除される際、せき部が外側に倒れて容易に除去されるようになる。
【００１４】
ガラス保持部は、対向面部の外表面に厚肉部が形成されているのが好ましく、これにより対向面部の反り、変形等による窓ガラスの挿入阻害を防止することができる。厚肉部は、両方の対向面部の外表面に形成されているのが好ましく、その厚肉部の形成領域、大きさ、形状は対向面部の反り、変形、特に成形時の収縮による反り、変形等を防止できる程度にすることができる。
【００１５】
ガラス保持部の対向面部の窓ガラス挿入溝側には、接着剤保持部が形成されているのが好ましく、これによりガラス保持部の対向面部と窓ガラスの間に十分な接着剤を保持して、接着力を確保することができる。接着剤保持部は、対向面部の両側端部がそれぞれ内側に突出して形成するのが好ましく、また対向面部の中間部においても内側にリブが伸び、接着剤保持部を形成するのが好ましい。また、対向する両側端部および対向するリブの間は挿入する窓ガラスと略同一とすることが好ましい。
【００１６】
本発明の車両用窓組立体の製造方法では、上記の車両用窓ガラスホルダーの窓ガラス挿入溝に接着剤を注入し、窓ガラス挿入溝の開口部側から窓ガラスを挿入して、せき部を外側に倒しながら切除し、接着剤により、車両用窓ガラスホルダーと窓ガラスを固着させることにより車両用窓組立体を製造する。こうして製造された車両用窓組立体は、脚部を昇降機構に連結し、昇降機構により窓ガラスを昇降させる。
【発明の効果】
【００１７】
本発明の車両用窓ガラスホルダーは、末広がり状に伸びる対向面部および底面部により窓ガラス挿入溝を形成するガラス保持部が脚部から伸び、対向面部の両側端部には、窓ガラス挿入溝の端部を閉じるせき部が、窓ガラスの挿入により外側に倒れて切除されるように形成されているので、窓ガラスの組付けが容易で、組付けに際して接着剤の流出、はみ出しを阻止できるとともに、流出阻止部材としてのせき部を容易に除去でき、これにより接着力不足を防止できるとともに、せき部や、その削れかすによるドアパネル内での異音の発生を防止することができる。
【００１８】
本発明の車両用窓組立体の製造方法は、上記の車両用窓ガラスホルダーの窓ガラス挿入溝に接着剤を注入し、窓ガラス挿入溝の開口部側から窓ガラスを挿入して、せき部を外側に倒しながら切除し、接着剤により、車両用窓ガラスホルダーと窓ガラスを固着させるので、窓ガラスの組付けが容易で、組付けに際して接着剤の流出、はみ出しを阻止できるとともに、流出阻止部材としてのせき部を容易に除去でき、これにより接着力不足を防止できるとともに、せき部や、その削れかすによるドアパネル内での異音の発生を防止して、車両用窓組立体を製造することができる。
【発明を実施するための最良の形態】
【００１９】
以下、本発明の実施形態を図面により説明する。図１（ａ）は車両用窓ガラスホルダーの斜視図で、窓ガラス組付け前の状態を示し、（ｂ）は窓ガラス組付け後の車両用窓組立体の一部の斜視図を示している。図２（ａ）は車両用窓ガラスホルダーの縦断面図を示し、（ｂ）は平面図を示している。図３（ａ）は車両用窓組立体の組立中の状態を示す正面図、（ｂ）は車両用窓組立体の組立後の状態を示す正面図であり、全体像を示している。図４（ａ）、（ｂ）、（ｃ）は車両用窓組立体の組立中の状態を示す図２（ｂ）の２ｂ−２ｂ部相当の断面図であり、工程を順次示している。各図中、図５と同一符号は同一または相当部分を示す。
【００２０】
図１ないし図４において、車両用窓ガラスホルダー１は、昇降機構（図示せず）に連結される脚部２と、この脚部２から平行に、かつ末広がり状に伸びる対向面部３、４および底面部５により窓ガラス挿入溝６が形成されるガラス保持部７とを有している。そして対向面部３、４の両側端部３ａ、３ｂ、４ａ、４ｂはそれぞれ内側に突出し、対向面部３、４の中間部においても内側にリブ８が伸び、接着剤保持部９を形成している。対向面部３、４の両側端部３ａ、３ｂ、４ａ、４ｂの内側から、それぞれさらに内向きに伸びて両側端部３ａと４ａ、および３ｂと４ｂを架橋する薄膜状のせき部２１が、窓ガラス挿入溝６の端部を覆うように形成されている。せき部２１と底面部５との接続部に、薄肉部２２が形成されている。脚部２には連結孔１２が設けられ、連結具１３としてナットがインサート成形等により取り付けられている。
【００２１】
上記の車両用窓ガラスホルダー１は、ガラス保持部７の対向面部３、４は脚部２から末広がり状に伸びているため、対向面部３、４の両側端部３ａ、３ｂ、４ａ、４ｂはそれぞれ底面部５に垂直な線、すなわち窓ガラス１４の挿入方向に対して傾斜する方向に形成されている。この場合、窓ガラス１４の挿入は、底面部５に対して垂直な方向に窓ガラス１４を相対的に移動させて行われるため、対向面部３、４の両側端部３ａ、３ｂ、４ａ、４ｂに形成されるせき部２１は、窓ガラス１４の挿入方向（ｘ、ｙまたはｚ）に対して傾斜する方向に形成されていることになる。
【００２２】
せき部２１は、対向面部３、４の両側端部３ａ、３ｂ、４ａ、４ｂの上端部より後退した位置に先端が形成されており、せき部２１が形成されていない両側端部３ａ、３ｂ、４ａ、４ｂの上端部の内側エッジ部は、窓ガラス１４の挿入を容易にするために面取され、傾斜状に形成されている。窓ガラス１４の挿入側となる下端部の外周エッジ部も同様に面取され、傾斜状に形成されている。ガラス保持部７は、対向面部３、４の外表面に厚肉部２３が形成されている。
【００２３】
上記の車両用窓ガラスホルダー１は、ポリアセタール、ポリブチレンテレフタレート等の硬質合成樹脂や、これらにガラス繊維等の強化材を配合した樹脂材料から、射出成形等により一体成形して製造されるが、成形時の収縮による反り、変形等が発生し、窓ガラス１４の挿入が阻害されるのを防止するために、厚肉部２３が形成されている。対向面部３、４は上部の開口部６ａ側から冷却されるので、その後脚部２が冷却されて収縮すると、対向面部３、４の上部はそれぞれ内向きに倒れ込むように変形し、窓ガラス挿入溝６の入口側が狭くなり、窓ガラス１４の挿入が阻害される。このとき、対向面部３、４の両側端部３ａ、３ｂ、４ａ、４ｂに形成されたせき部２１は薄膜状なため、すぐに冷却されるので対向面部３、４の倒れ込みはないが、中央部は内向きに反って変形し窓ガラス１４の挿入が阻害されるが、対向面部３、４の外表面中央部に厚肉部２３を形成することにより、対向面部３、４と脚部２が同じタイミングで冷却されるので、成形時の収縮による反り、変形等の発生を防止することができる。
【００２４】
上記の車両用窓ガラスホルダー１は、冶具に保持して、図３（ａ）のｘ方向に窓ガラス１４を挿入するか、あるいは車両用窓ガラスホルダー１をロボットに保持させて図３（ａ）のｙ方向に車両用窓ガラスホルダー１を移動させて窓ガラス１４に装着することにより組付け、車両用窓組立体１５を製造する。組付けの詳細を図４により説明する。図４（ａ）、（ｂ）、（ｃ）は順次組付けが進行する状態を示しており、図中の矢印ｚは窓ガラス１４の相対的移動方向を示している。
【００２５】
組付けはまず、窓ガラス挿入溝６に接着剤２４を注入し、窓ガラス挿入溝６に窓ガラス１４を開口部６ａ側から挿入して、せき部２１を外側に倒しながら切除し、接着剤２４を接着剤保持部９に行き渡らせ、接着剤２４により、車両用窓ガラスホルダー１を窓ガラス１４に固着し、組付け、車両用窓組立体１５を製造する。こうして製造される車両用窓組立体１５は、連結具１３を利用して車両用窓ガラスホルダー１の脚部２を車両の昇降機構（図示せず）に連結して組付け、窓ガラス１４の昇降を行う。
【００２６】
組付けの工程は、まず図４（ａ）のように、窓ガラス１４の下端部が窓ガラス挿入溝６の上端部から挿入され、せき部２１の上端部と接触して接着剤２４の流出路を遮断する。この状態で図４（ｂ）のように、窓ガラス１４がせき部２１を上端側から切除し、外側に倒しながら下降することにより、接着剤２４の流出路を遮断しつつ窓ガラス１４を挿入できるので、接着剤２４は無駄に流出、はみ出すことなく接着剤保持部９に進入して行く。図４（ｃ）の状態まで窓ガラス１４が挿入されると、薄肉部２２でせき部２１が切り取られて外側に脱落するので、容易に除去される。このとき接着剤２４は接着剤保持部９に均一に行き渡り、接着強度を確保することができる。接着剤２４を硬化させることにより、車両用窓組立体１５が製造される。
【００２７】
上記の車両用窓ガラスホルダー１は、ガラス保持部７の対向面部３、４は脚部から末広がり状に伸びているため、対向面部７の両側端部３、４に形成されるせき部２１はそれぞれ底面部５に垂直な線、すなわち窓ガラス１４の挿入方向（ｘ、ｙ、ｚ）に対して傾斜する方向に形成されることになり、窓ガラス１４の挿入時の分力により、せき部２１は外側に倒れて切除される。このためせき部２１は、従来のように窓ガラス１４により押しつぶされるように削り取られたり、あるいは小片ないし粉状の削りかすとなって車両用窓ガラスホルダー１内に残留したり、接着剤２４に付着して接着強度が低下することがない。またせき部２１は、対向面部３、４の両側端部３ａ、３ｂ、４ａ、４ｂを架橋する薄膜状に形成されているので、窓ガラス１４の挿入により容易に外側に倒れて切除することができる。せき部２１と底面部５との接続部に、薄肉部２２が形成されているので、せき部２１が外側に倒れることにより、容易に除去される。
【００２８】
ガラス保持部７は、対向面部３、４の外表面に厚肉部２３が形成されているので、これにより対向面部３、４の反り、変形等による窓ガラス１４の挿入阻害を防止することができる。またガラス保持部７の対向面部３、４の窓ガラス挿入溝６側には、接着剤保持部９が形成されているので、これによりガラス保持部７の対向面部３、４と窓ガラス１４の間に十分な接着剤を保持して、接着力を確保することができる。接着剤保持部９は、対向面部３、４の両側端部がそれぞれ内側に突出して形成するとともに、対向面部３、４の中間部においても内側にリブ８が伸びて接着剤保持部９を形成しているので、接着剤保持部９の容量を確保するとともに、対向面部３、４の変形も防止することができる。また、対向する両側端部３ａ、３ｂ、４ａ、４ｂおよび対向するリブ８の間が挿入する窓ガラス１４の厚さと略同一のため、接着剤２４の流出を確実に防ぐとともに、窓ガラス１４と車両用窓ガラスホルダー１を傾きなく正確に組付けることができる。
【００２９】
上記のとおり車両用窓ガラスホルダー１は、末広がり状に伸びる対向面部３、４および底面部５により窓ガラス挿入溝６を形成するガラス保持部７が脚部２から伸び、対向面部３、４の両側端部３ａ、３ｂ、４ａ、４ｂには、窓ガラス挿入溝６の端部を閉じるせき部２１が、窓ガラス１４の挿入により外側に倒れて切除されるように形成されているので、窓ガラス１４の組付けが容易で、組付けに際して接着剤２４の流出、はみ出しを阻止できるとともに、流出阻止部材としてのせき部２１を容易に除去でき、これにより接着力不足を防止できるとともに、切除されるせき部２１やその削れかすが車両用窓ガラスホルダー１内に残留したり、付着したりしていないので、車両に組付けた後にドアパネル内でせき部の削れかすによる異音の発生を防止することができる。
【００３０】
上記の車両用窓組立体１５の製造方法は、車両用窓ガラスホルダー１の窓ガラス挿入溝６に接着剤２４を注入し、窓ガラス挿入溝６の開口部６ａ側から窓ガラス１４を挿入して、せき部２１を外側に倒しながら切除し、接着剤２４により固着させるので、窓ガラス１４の組付けが容易で、組付けに際して接着剤２４の流出、はみ出しを阻止できるとともに、せき部２１を容易に除去でき、これにより接着力不足を防止できるとともに、せき部２１やその削れかすが車両用窓ガラスホルダー１内に残留したり、付着したりしていないので、車両に組付けた後にドアパネル内でせき部の削れかすによる異音の発生を防止して、車両用窓組立体１５を製造することができる。
【図面の簡単な説明】
【００３１】
【図１】図１（ａ）は車両用窓ガラスホルダーの斜視図、（ｂ）は窓ガラス組付け後の車両用窓組立体の一部の斜視図である。
【図２】図２（ａ）は車両用窓ガラスホルダーの縦断面図、（ｂ）は平面図である。
【図３】図３（ａ）は車両用窓組立体の組立中の状態を示す正面図、（ｂ）は車両用窓組立体の組立後の状態を示す正面図である。
【図４】図４（ａ）、（ｂ）、（ｃ）は車両用窓組立体の組立中の状態を示す図２（ｂ）の２ｂ−２ｂ部相当の断面図である。
【図５】図５は従来の車両用窓ガラスホルダーの斜視図である。
【符号の説明】
【００３２】
１  車両用窓ガラスホルダー
２  脚部
３、４  対向面部
３ａ、３ｂ、４ａ、４ｂ  両側端部
５  底面部
６  窓ガラス挿入溝
６ａ  開口部
７  ガラス保持部
８  リブ
９  接着剤保持部
１１  薄膜部
１２  連結孔
１３  連結具
１４  窓ガラス
１５  車両用窓組立体
２１  せき部
２２  薄肉部
２３  厚肉部
２４  接着剤
【図１】
0004529922.tif 000002
【図２】
0004529922.tif 000003
【図３】
0004529922.tif 000004
【図４】
0004529922.tif 000005
【図５】
0004529922.tif 000006